(57)【要約】【課題】  １００Ｖ系／２００Ｖ系の異なる交流入力電圧系統に対して、生産管理が容易で、安価な構成となるスイッチング電源装置とそれを具備した画像形成装置を提供することを目的とする。【解決手段】  交流入力電圧を力率改善回路を介して第１のスイッチング電源により第１の二次側電圧を出力する電源と、交流入力電圧を整流平滑して第２のスイッチング電源により第２の二次側電圧を出力する少なくとも２系統の電源を有しており、前記力率改善回路は、少なくとも２つの異なる交流入力電圧系統によらず、概同じ電圧に昇圧された電圧を出力しており、異なる交流入力電圧系統に対してそれぞれ異なる部品となる部品群によるそれぞれの交流入力電圧系統に対応した電源回路部と、交流入力電圧系統に依存しない電源部やその他の部品群からなる固定回路部とに分割し、前記固定回路部に対して上記交流入力電圧系統に対応した電源回路部のみを該交流入電圧に対して変更し、異なる交流入力電圧系統に対応することを特徴とする。【選択図】        図１
2006304534.tif 000002
【特許請求の範囲】
【請求項１】
交流入力電圧を力率改善回路を介して第１のスイッチング電源により第１の二次側電圧を出力する電源と、
交流入力電圧を整流平滑して第２のスイッチング電源により第２の二次側電圧を出力する少なくとも２系統の電源を有しており、
前記力率改善回路は、少なくとも２つの異なる交流入力電圧系統によらず、概同じ電圧に昇圧された電圧を出力しており、
異なる交流入力電圧系統に対してそれぞれ異なる部品となる部品群によるそれぞれの交流入力電圧系統に対応した電源回路部と、
交流入力電圧系統に依存しない電源部やその他の部品群からなる固定回路部とに分割し、
前記固定回路部に対して上記交流入力電圧系統に対応した電源回路部のみを該交流入力電圧に対して変更し、異なる交流入力電圧系統に対応することを特徴とするスイッチング電源装置。
【請求項２】
前記力率改善回路と前記第２のスイッチング電源を、前記交流入力電圧系統に対応した電源回路部とし、
第１のスイッチング電源と前記第１及び第２の二次側電圧で動作する回路部を固定回路部とすることを特徴とする請求項１に記載のスイッチング電源装置。
【請求項３】
前記固定回路部は少なくとも１つの基板に実装され、前記交流入力電圧系統に対応した電源回路部は交流入力電圧系統毎に別体の実装基板であり、
それぞれの交流電源圧系統に対応して実装基板が、上記固定回路部の実装基板に対して交換可能な構成とすることを特徴とする請求項１または２に記載のスイッチング電源装置。
【請求項４】
前記交流入力電圧系統に対応した電源回路部の実装基板に、共通の基板を用いることを特徴とする請求項３に記載のスイッチング電源装置。
【請求項５】
前記力率改善回路が、交流入力電圧が入力され、整流回路を介してチョークコイルに流れる電流をスイッチング手段によりオン／オフし、前記スイッチング手段と並行に接続されるダイオードにより前記チョークコイルに蓄えられた電圧を出力し、平滑コンデンサに整流平滑する昇圧型のアクティブ・フィルタ方式であることを特徴とする請求項１から４のいずれかに記載のスイッチング電源装置。
【請求項６】
記録材上にトナー像を形成する画像形成部と、前記トナー像を加熱して前記記録材に定着させる定着装置と、を具備する画像形成装置において、
二次側電圧を出力する電源装置が、請求項１から５のいずれかに記載のスイッチング電源装置であることを特徴とする画像形成装置。
【請求項７】
前記定着装置が加熱手段を内包しており、
前記交流入力電圧が電力供給手段をオン／オフすることにより、前記加熱手段に電力が供給されており、
前記電力供給手段が、異なる交流入力電圧系統に対してそれぞれの加熱装置駆動回路から構成されており、
前記加熱装置駆動回路のそれぞれが、前記交流入力電圧系統に対応した電源回路部とともに、交流入力電源系統に対応した電源回路部を構成していることを特徴とする請求項６に記載の画像形成装置。
【発明の詳細な説明】
【技術分野】
【０００１】
本発明は、１００Ｖ系／２００Ｖ系の異なる交流電圧系統を有するスイッチング電源装置、特に、力率改善回路を有する電源装置を具備した画像形成装置に関するものである。
【背景技術】
【０００２】
近年、高周波の比較的大きい電流及び電圧に耐えることができるスイッチング素子の開発によって、商用電源を整流して所望の直流電圧を得る電源装置としては、大部分がスイッチング方式の電源装置になっている。スイッチング電源はスイッチング周波数を高くすることによりトランスその他のデバイスを小型にすると共に、大電力のＤＣ−ＤＣコンバータとして画像形成装置など各種の電子機器の電源として使用されている。
【０００３】
ところで、一般に商用電源を整流すると平滑回路に流れる電流は歪み波形になるため、電源の利用効率を示す力率が損なわれるという問題が生じる。また、歪み電流波形となることによって発生する高調波を抑圧するための対策が必要とされている。
【０００４】
電源の力率を改善するためには、昇圧型のアクティブ・フィルタ方式の回路を使用することが知られている（例えば、下記特許文献１，２参照。）。
【０００５】
電子写真プロセスを用いた画像形成装置においても、高速化やオプションの多様化にともない、定着ヒータの電力が増大し、低圧電源の容量が増大する傾向にある。このような状況において、低圧電源部の力率を上げて最大消費電流を下げるため、昇圧型のアクティブ・フィルタ等の力率改善回路を搭載したスイッチング電源を使用する場合が増えてきている。また、画像形成装置が画像形成時には大出力が必要となるため、力率改善回路を介して二次側電源電圧を出力し、非画像形成時には出力が小さくなるため、力率改善回路を介さずに二次側電源電圧を出力して電力効率を上げるような電源システムも提案されている（例えば、特許文献３参照。）。
【特許文献１】特開平７−９９７７５号公報
【特許文献２】特開２００４−２０８３５７号公報
【特許文献３】特開平９−１６６９４２号公報
【発明の開示】
【発明が解決しようとする課題】
【０００６】
スイッチング電源装置は、一般的に異なる交流入力電圧系統、例えば、１００Ｖ系と２００Ｖ系で、別のスイッチング電源とすることが多い。また、定着ヒータ及び駆動回路においても、１００Ｖ系と２００Ｖ系で、別の定着ヒータまたは別の駆動回路となることが多い。
【０００７】
上述のように、電源容量の増大，待機時の省エネ化にともない、高容量の出力が可能なメインの電源と、待機時の電力及びロジック部の電力を供給するサブ電源とし、メイン電源は力率改善回路を介したＤＣ−ＤＣコンバータとする場合がある。このような場合、メイン電源部とサブ電源部が、交流入力電圧系統に応じた回路部となり、例えば１００Ｖ系と２００Ｖ系で、別の基板を用意する必要がある。力率改善回路が昇圧型のアクティブ・フィルタ方式である場合、１００Ｖ系と２００Ｖ系でそれぞれ最適な昇圧電圧値にすると、力率改善回路部とその後段のＤＣ−ＤＣコンバータ部も電圧系統に対して別体の電源部となる。
【０００８】
一方、力率改善回路で交流入力電圧系統によらず、ほぼ同じＤＣ電圧に昇圧した場合は、後段のＤＣ−ＤＣコンバータ部は、交流入力電圧系統によらず共通の回路部となる。
【０００９】
一般的に、力率改善回路部で昇圧されたＤＣ電圧は、後段のＤＣ−ＤＣコンバータの入力のみに使用されるため、力率改善回路部とＤＣ−ＤＣコンバータ部は、１つの回路部として同一の基板に構成されることが多い。また、メイン電源とサブ電源は、機能的に異なることからも、別基板に構成されることも少なくない。
【００１０】
その結果、異なる入力電圧系統、例えば、１００Ｖ系と２００Ｖ系で、共通回路部が多いのにも関わらず、数種類の基板が存在し、生産管理上複雑になってしまう。
【００１１】
そこで、本出願に係る第１の発明は、上記のような問題点を解決し、異なる交流入力電圧系統に対して、生産管理が容易な電源構成とすることを目的とする。
【００１２】
本出願に係る第２の発明は、上記のような問題点を解決し、異なる交流入力電圧系統に対して、生産管理が容易であり、機能上分類された簡単な構成とすることを目的とする。
【００１３】
本出願に係る第３の発明は、上記のような問題点を解決し、異なる交流入力電圧系統に対して、生産管理が容易で、安価な構成とすることを目的とする。
【００１４】
本出願に係る第４の発明は、上記のような問題点を解決し、異なる交流入力電圧系統に対して、生産管理が容易で、安価な構成であり、基板枚数を低減可能な構成とすることを目的とする。
【００１５】
本出願に係る第５の発明は、上記のような問題点を解決し、異なる交流入力電圧系統に対して、生産管理が容易で、安価な構成であり、交流入力電源の利用効率の良い電源装置を提供することを目的とする。
【００１６】
本出願に係る第６の発明は、上記のような問題点を解決し、異なる交流入力電圧系統に対して、生産管理が容易で、安価な構成であるスイッチング電源装置を具備する画像形成装置を提供することを目的とする。
【００１７】
本出願に係る第７の発明は、上記のような問題点を解決し、異なる交流入力電圧系統に対して、定着加熱装置駆動回路を含めた画像形成装置の電源として、生産管理が容易で、安価な構成である電源装置を具備する画像形成装置を提供することを目的とする。
【課題を解決するための手段】
【００１８】
上記目的を達成するために、本出願に係る第１の発明は、
交流入力電圧を力率改善回路を介して第１のスイッチング電源により第１の二次側電圧を出力する電源と、
交流入力電圧を整流平滑して第２のスイッチング電源により第２の二次側電圧を出力する少なくとも２系統の電源を有しており、
前記力率改善回路は、少なくとも２つの異なる交流入力電圧系統によらず、概同じ電圧に昇圧された電圧を出力しており、
異なる交流入力電圧系統に対してそれぞれ異なる部品となる部品群によるそれぞれの交流入力電圧系統に対応した電源回路部と、
交流入力電圧系統に依存しない電源部やその他の部品群からなる固定回路部とに分割し、
前記固定回路部に対して上記交流入力電圧系統に対応した電源回路部のみを該交流入力電圧に対して変更し、異なる交流入力電圧系統に対応することを特徴とする。
【００１９】
上記目的を達成するために、本出願に係る第２の発明は、
第１の発明の特徴を有するスイッチング電源装置において、
前記力率改善回路と前記第２のスイッチング電源を、前記交流入力電圧系統に対応した電源回路部とし、
第１のスイッチング電源と前記第１及び第２の二次側電圧で動作する回路部を固定回路部とすることを特徴とする。
【００２０】
上記目的を達成するために、本出願に係る第３の発明は、
第１または第２の発明の特徴を有するスイッチング電源装置において、
前記固定回路部は少なくとも１つの基板に実装され、前記交流入力電圧系統に対応した電源回路部は、交流入力電圧系統毎に別体の実装基板であり、
それぞれの交流電源圧系統に対応して実装基板が、上記工程回路部の実装基板に対して交換可能な構成とすることを特徴とする。
【００２１】
上記目的を達成するために、本出願に係る第４の発明は、
第３の発明の特徴を有するスイッチング電源装置において、
前記交流入力電圧系統に対応した電源回路部の実装基板に、共通の基板を用いることを特徴とする。
【００２２】
上記目的を達成するために、本出願に係る第５の発明は、
第１から第４のいずれかの発明の特徴を有するスイッチング電源装置において、
前記力率改善回路が、交流入力電圧が入力され、整流回路を介してチョークコイルに流れる電流をスイッチング手段によりオン／オフし、前記スイッチング手段と並行に接続されるダイオードにより前記チョークコイルに蓄えられた電圧を出力し、平滑コンデンサに整流平滑する昇圧型のアクティブ・フィルタ方式であることを特徴とする。
【００２３】
上記目的を達成するために、本出願に係る第６の発明は、
記録材上にトナー像を形成する画像形成部と、前記トナー像を加熱して前記記録材に定着させる定着装置と、を具備する画像形成装置において、
二次側電圧を出力する電源装置が、請求項１から５のいずれかに記載のスイッチング電源装置であることを特徴とする。
【００２４】
上記目的を達成するために、本出願に係る第７の発明は、
第６の発明の特徴を有する画像形成装置において、
前記定着装置が加熱手段を内包しており、
前記交流入力電圧が電力供給手段をオン／オフすることにより、前記加熱手段に電力が供給されており、
前記電力供給手段が、異なる交流入力電圧系統に対してそれぞれの加熱装置駆動回路から構成されており、
前記加熱装置駆動回路のそれぞれが、前記交流入力電圧系統に対応した電源回路部とともに、交流入力電源系統に対応した電源回路部を構成していることを特徴とする。
【発明の効果】
【００２５】
本出願に係る第１の発明によれば、異なる交流入力電圧系統に対して、生産管理が容易な電源構成となるスイッチング電源装置を提供することができる。
【００２６】
また、本出願に係る第２の発明のよれば、異なる交流入力電圧系統に対して、生産管理が容易であり、機能上分類された簡単な構成となるスイッチング電源装置を提供することことができる。
【００２７】
本出願に係る第３の発明によれば、異なる交流入力電圧系統に対して、生産管理が容易で、安価な構成となるスイッチング電源装置を提供することができる。
【００２８】
本出願に係る第４の発明によれば、異なる交流入力電圧系統に対して、生産管理が容易で、安価な構成であり、基板枚数を低減可能な構成となるスイッチング電源装置を提供することができる。
【００２９】
本出願に係る第５の発明によれば、異なる交流入力電圧系統に対して、生産管理が容易で、安価な構成であり、交流入力電源の利用効率の良い電源装置を提供することができる。
【００３０】
本出願に係る第６の発明によれは、異なる交流入力電圧系統に対して、生産管理が容易で、安価な構成であるスイッチング電源装置を具備する画像形成装置を提供することができる。
【００３１】
本出願に係る第７の発明によれは、異なる交流入力電圧系統に対して、定着加熱装置駆動回路を含めた画像形成装置の電源として、生産管理が容易で、安価な構成である電源装置を具備する画像形成装置を提供することができる。
【発明を実施するための最良の形態】
【００３２】
以下に本発明を実施するための最良の形態を、実施例に基づいて説明する。
【実施例１】
【００３３】
図１に本発明におけるスイッチング電源装置のブロック図を示す。
【００３４】
本発明におけるスイッチング電源装置は、共通基板１７と、１００Ｖ系基板１６もしくは２００Ｖ系基板４６から構成されている。１００Ｖ系基板１６は、交流入力電源１が１００Ｖ系、例えば、８５〜１３９．７Ｖａｃ、の場合の電源装置であり、２００Ｖ系基板４６は、交流入力電源１が２００Ｖ系、例えば、１８７〜２６４Ｖａｃ、の場合の電源装置であり、共通基板１７は、１００Ｖ系基板１６もしくは２００Ｖ系基板４６の後段に接続される交流入力電源１の電圧に依存しない電源装置である。
【００３５】
１００Ｖ系基板１６において、交流入力電源１はＡＣフィルタ２を介して、ダイオードブリッジ３〜６及び９〜１２に入力される。ダイオードブリッジ３〜６により全波整流された脈流波形がＰＦＣ回路（力率改善回路）７に入力される。ＰＦＣ回路７の入力電圧は、点Ｐには点Ｍに対して、例えば、波高値が約１２０〜１９７Ｖの脈流波形電圧となる。ＰＦＣ回路７により昇圧され平滑コンデンサ８に平滑されることにより、約３８０〜４２０ＶのＤＣ電圧Ｖｄｃが出力される。一方、ダイオードブリッジ９〜１２により全波整流され、平滑コンデンサ１３により平滑される。平滑された電圧は、ＤＣ−ＤＣコンバータであるスイッチング電源１４に入力され、スイッチング電源１４が２次側電圧Ｖｂを出力する。スイッチング電源１４は、１次２次間の絶縁を確保するために、絶縁型のトランスが使用されている。１００Ｖ系基板１６は、１次ＤＣ電圧Ｖｄｃと２次側電圧Ｖｂを共通基板に対して出力する。
【００３６】
共通基板１７においては、１次ＤＣ電圧Ｖｄｃがスイッチング電源１８に入力され、２次側電圧Ｖａが出力される。２次側電圧Ｖａは、例えば、高圧電源やモータ、アクチュエータ等の大容量の電源、もしくは本電源装置が搭載される装置の待機時に通電の必要がなく、動作時のみ通電するデバイスの電源として、使用される。２次側電圧Ｖｂは、共通回路部２０に入力され、直接もしくはＤＣ−ＤＣコンバータを介して、例えば、主にロジック部の電源や本電源装置が搭載される装置の待機時にも通電が必要なデバイスの電源として使用される。
【００３７】
２００Ｖ系基板４６において、１００Ｖ系基板１６と同様に、交流入力電源１はＡＣフィルタ３２を介して、ダイオードブリッジ３３〜３６及び３９〜４２に入力される。ダイオードブリッジ３３〜３６により全波整流された脈流波形がＰＦＣ回路３７に入力される。ＰＦＣ回路３７の入力電圧は、点Ｐには点Ｍに対して、例えば、波高値が約２６４〜３７３Ｖの脈流波形電圧となる。ＰＦＣ回路３７により昇圧され平滑コンデンサ３８に平滑されることにより、約３８０〜４２０ＶのＤＣ電圧Ｖｄｃが出力される。このＤＣ電圧Ｖｄｃは、１００Ｖ系基板１６とほぼ同じ電圧が出力される。一方、ダイオードブリッジ３９〜４２により全波整流され、平滑コンデンサ４３により平滑される。平滑された電圧は、ＤＣ−ＤＣコンバータであるスイッチング電源４４に入力され、スイッチング電源４４が２次側電圧Ｖｂを出力する。スイッチング電源４４は、１次２次間の絶縁を確保するために、絶縁型のトランスが使用されている。
【００３８】
つまり、２００Ｖ系基板４６は、１００Ｖ系基板１６と同じ１次ＤＣ電圧Ｖｄｃと２次側電圧Ｖｂを共通基板１７に対して出力する。
【００３９】
また、図２にＰＦＣ回路７（３７）の概略回路図を示す。点Ｐ−Ｍ間に全波整流された脈流波形電圧が印加され、コンデンサ５１により波形整形される。コンデンサ５１は、交流電源１に対するスイッチング素子５３のスイッチングの影響を低減し、力率をほぼ１とするために接続されている。入力された脈流電圧は、チョークコイル５２を介して、スイッチング素子５３、例えば、ＭＯＳＦＥＴによりオン／オフされる。スイッチング素子５３がオンの時に、チョークコイル５２に入力電圧が印加され、電流が蓄積される。スイッチング素子５３がオフになると、チョークコイル５２に蓄積された電流が、ダイオード５５を介して流れて電圧が昇圧され、コンデンサ８（３８）により平滑される。
【００４０】
スイッチング素子５３はコントローラ５４により制御されており、コントローラ５４は図示はしていないが、出力電圧Ｖｄｃをフィードバックし、一定出力になるように制御している。
【００４１】
上述のように、本実施例の構成とすることにより、異なる交流入力電源電圧に対して、実装基板（１００Ｖ系実装基板１６と２００Ｖ系実装基板４６）を交換するだけで、電源対応をおこなうことができる。力率改善回路の出力を電圧系統によらず、同じ電圧Ｖｄｃに設定することにより、後段のスイッチング電源を交流入力電圧によらずに共通の回路とすることができる。
【００４２】
また、異なる電圧系統に対して、異なる定格の部品を使用する必要がある回路部２〜７及び９〜１４、もしくは、３２〜３７及び３９〜４４を１つの実装基板１６もしくは４６にすることにより、異なる交流入力電圧対応及び生産上の管理が容易になる。
【００４３】
さらに、異なる定格の部品を使用する必要がある回路部の部品のみ２〜７及び９〜１４、もしくは、３２〜３７及び３９〜４４を変更し、ベアボードを共通とすることにより、生産上の管理をより容易にすることができる。
【実施例２】
【００４４】
第１の実施例と重複する点は省略する。
【００４５】
図３は電子写真プロセスを用いた画像形成装置の概略構成図であり、例えばレ−ザプリンタの場合を示している。
【００４６】
レーザビームプリンタ本体１０１は、記録紙Ｓを収納するカセット１０２を有し、カセット１０２の記録紙Ｓの有無を検出するカセット有無センサ１０３、カセット１０２の記録紙Ｓのサイズを検出するカセットサイズセンサ１０４（復数個のマイクロスイッチで構成される）、カセット１０２から記録紙Ｓを繰り出す給紙ローラ１０５等が設けられている。
【００４７】
給紙ローラ１０５の下流には、記録紙Ｓを同期搬送するレジストローラ対１０６が設けられている。レジストローラ対１０６の下流には、レーザスキャナ部１０７からのレーザ光に基づいて記録紙Ｓ上にトナー像を形成する画像形成部１０８が設けられている。画像形成部１０８の下流には、記録紙Ｓ上に形成されたトナー像を熱定着する定着器１０９が設けられている。
【００４８】
定着器１０９の下流には、排紙部の搬送状態を検出する排紙センサ１１０、記録紙Ｓを排紙する排紙ローラ１１１、記録の完了した記録紙Ｓを積載する積載トレイ１１２が設けられている。この記録紙Ｓの搬送基準は、記録紙Ｓの画像形成装置の搬送方向に直交する方向の長さ、つまり記録紙Ｓの幅に対して中央になるように設定されている。
【００４９】
レーザスキャナ１０７は、後述する外部装置１３１から送出される画像信号（画像信号ＶＤＯ）に基づいて変調されたレーザ光を出射するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００５０】
画像形成部１０８は、公知の電子写真プロセスに必要な、感光ドラム１１７、１次帯電ローラ１１９、現像器１２０、転写帯電ローラ１２１、クリーナ１２２等から構成されている。定着器１０９は定着フィルム１０９ａ、弾性加圧ローラ１０９ｂ、定着フィルム１０９ａ内部に設けたセラミック面発ヒータ１０９ｃ、セラミック面発ヒータ１０９ｃの表面温度を検出するサーミスタ１０９ｄから構成されている。
【００５１】
メインモータ１２３は、給紙ローラ１０５に対しては給紙ローラクラッチ１２４を介して、レジストローラ対１０６に対しては１２５を介して駆動力を与えている。メインモータ１２３は、さらに感光ドラム１１７を含む画像形成部１０８の各ユニット、定着器１０９、排紙ローラ１１１にも駆動力を与えている。
【００５２】
エンジンコントローラ１２６は、レーザスキャナ部１０７、画像形成部１０８、定着器１０９による電子写真プロセスの制御、レーザビームプリンタ本体１０１内の記録紙の搬送制御をおこなっている。
【００５３】
ビデオコントローラ１２７は、パーソナルコンピュータ等の外部装置１３１と汎用のインタフェース（セントロニクス、ＲＳ２３２Ｃ等）１３０で接続されている。ビデオコントローラ１２７は、この汎用インタフェース１３０から送られてくる画像情報をビットデータに展開し、そのビットデータをＶＤＯ信号として、エンジンコントローラ１２６へ送出している。
【００５４】
図４に本実施例におけるスイッチング電源を含めた電源装置のブロック図を示す。
【００５５】
本実施例における電源装置は、共通基板Ａ７７及び共通基板Ｂ８０と、１００Ｖ系基板７６もしくは２００Ｖ系基板９６から構成されている。１００Ｖ系基板７６は、交流入力電源６１が１００Ｖ系、例えば、８５〜１３９．７Ｖａｃ、の場合の電源装置であり、２００Ｖ系基板９６は、交流入力電源６１が２００Ｖ系、例えば、１８７〜２６４Ｖａｃ、の場合の電源装置であり、共通基板Ａ７７及び共通基板Ｂ８０は、１００Ｖ系基板７６もしくは２００Ｖ系基板９６の後段に接続される交流入力電源６１の電圧に依存しない電源装置である。
【００５６】
１００Ｖ系基板７６において、交流入力電源６１はＡＣフィルタ６２を介して、ダイオードブリッジ６３〜６６及び６９〜７２に入力される。ダイオードブリッジ６３〜６６により全波整流された脈流波形がＰＦＣ回路（力率改善回路）６７に入力される。ＰＦＣ回路６７の入力電圧は、点Ｐには点Ｍに対して、例えば、波高値が約１２０〜１９７Ｖの脈流波形電圧となる。ＰＦＣ回路６７により昇圧され平滑コンデンサ６８に平滑されることにより、約３８０〜４２０ＶのＤＣ電圧Ｖｄｃが出力される。一方、ダイオードブリッジ６９〜７２により全波整流され、平滑コンデンサ７３により平滑される。平滑された電圧は、ＤＣ−ＤＣコンバータであるスイッチング電源７４に入力され、スイッチング電源７４が２次側電圧Ｖｂを出力する。スイッチング電源７４は、１次２次間の絶縁を確保するために、絶縁型のトランスが使用されている。
【００５７】
また、交流入力電源６１は、分岐されＡＣフィルタ８５を介して、定着ヒータ駆動回路に入力される。交流入力電圧は、リレー８６，スイッチング素子８８，定着コネクタ９２を介して、定着ヒータ９３（１０９ｃ）に入力される。定着ヒータ９３への電力供給は、トライアック８８の通電、遮断によりおこなわれる。
【００５８】
８９、９０はトライアック８８のためのバイアス抵抗であり、８７はノイズ除去、時定数調整用のコンデンサである。９１は一次、二次間の沿面距離を確保するための例えば、フォトトライアックカプラである。フォトトライアックカプラ９１の発光ダイオードに通電することによりトライアック８８がオンされ、ＣＰＵから信号に従って動作する。リレー８６は、画像形成装置の待機時や定着ヒータの異常昇温時に定着器への電力供給を遮断する手段であり、図示はしていないが、温度検出回路部あるいはＣＰＵからの信号に従って動作する。
【００５９】
つまり、１００Ｖ系基板７６は、１次ＤＣ電圧Ｖｄｃと２次側電圧Ｖｂを共通基板Ａ及びＢに対して出力し、コネクタ８７を介して定着ヒータに電力を供給する。
【００６０】
共通基板Ａ７７においては、１次ＤＣ電圧Ｖｄｃがスイッチング電源７８に入力され、２次側電圧Ｖａが出力される。２次側電圧Ｖａは、例えば、高圧電源やモータ、アクチュエータ等の大容量の電源、もしくは本画像形成装置の待機時に通電の必要がなく、画像形成時のみ通電するデバイスの電源として、使用される。２次側電圧Ｖｂは、共通基板Ｂ８０の共通回路部８３に入力され、直接もしくはＤＣ−ＤＣコンバータを介して、例えば、主にＣＰＵ８２等のロジック部の電源や本電源装置が搭載される装置の待機時にも通電が必要なデバイスの電源として使用される。ＣＰＵ８２は、信号束線８１を介して共通基板Ａに配置される回路部を制御する。また、ＣＰＵ８２は信号束線８４を介して、１００Ｖ系基板７６に実装されている定着ヒータ駆動回路部の制御、ＰＦＣ回路６７の動作／停止の制御、スイッチング電源７４の発振モードの制御をおこなう。
【００６１】
２００Ｖ系基板９６においても、１００Ｖ系基板７６と同様に、交流入力電源６１が入力され、１００Ｖ系基板７６と同じ１次ＤＣ電圧Ｖｄｃと２次側電圧Ｖｂを共通基板Ａ７７及びＢ８０に対して出力し、コネクタ９２を介して定着ヒータ９７に電力を供給する。内部の回路の図示は、１００Ｖ系基板７６の６２〜６７，６９〜７４，８５〜９１と同じ構成となるため、省略した。
【００６２】
上述のように、本実施例の構成とすることにより、異なる交流入力電源電圧に対して、実装基板７６と９６を交換するだけで、電源装置の電源対応をおこなうことができる。力率改善回路の出力を電圧系統によらず、同じ電圧Ｖｄｃに設定することにより、後段のスイッチング電源を交流入力電圧によらずに共通の回路とすることができる。また、異なる電圧系統に対して、異なる定格の部品を使用する必要がある回路部６２〜６７及び６９〜７４及び８５〜９１を１つの実装基板７６もしくは９６にすることにより、定着ヒータ駆動回路を含めて、異なる交流入力電圧対応及び生産上の管理が容易になる。
【００６３】
さらに、異なる定格の部品を使用する必要がある回路部の部品のみ６２〜６７及び６９〜７４及び８５〜９１を変更し、ベアボードを共通とすることにより、生産上の管理をより容易にすることができる。
【００６４】
また、異なる交流入力電源電圧に対して、実装基板７６もしくは９６と併せて、定着ヒータ９３もしくは９７を含んだ定着器を交換するだけで、画像形成装置の電源対応をおこなうことができる。異なる交流入力電圧に対して、コネクタ９２におけるピン配置を変更することにより、定着器の誤挿入も防止することができる。
【図面の簡単な説明】
【００６５】
【図１】本発明におけるスイッチング電源装置を説明する図である。
【図２】本発明におけるＰＦＣ回路の概略回路図を説明する図である。
【図３】本発明の第２の実施例における画像形成装置を説明する図である。
【図４】本発明における第２の実施例のスイッチング電源装置を説明する図である。
【符号の説明】
【００６６】
１，６１  交流入力電源
１６，７６  １００Ｖ系実装基板
４６，９６  ２００Ｖ系実装基板
７，３７  ＰＦＣ回路（力率改善回路）
１４，１８，４４，７４，７８  スイッチング電源
１７，７７，８０  共通基板
９３，９７  定着ヒータ
１０９  定着器
１０１  画像形成装置。
【図１】
2006304534.tif 000003
【図２】
2006304534.tif 000004
【図３】
2006304534.tif 000005
【図４】
2006304534.tif 000006